(57)【要約】      （修正有）【課題】イベントに参加する参加者に適したサービスを提供できるサービス提供装置を提供する。【解決手段】サービス提供装置１１０は、第１センサ３１と、メモリと、提供部２０と、を含む。第１センサ３１は、イベントに参加する第１参加者８１に保持される。第１センサ３１は、イベントに第１参加者８１が参加しているときの、第１参加者８１の第１身体８１ｂの動き、第１身体８１ｂの状態、及び、第１参加者８１の声、の少なくともいずれかを検出する。メモリは、情報を記憶する。提供部２０は、メモリに記憶された情報から検出した結果に基づく第１サービス８１ｓを第１参加者８１に提供する。【選択図】図１
2016167245.tif 000002
【特許請求の範囲】
【請求項１】
イベントに参加する第１参加者に保持され、前記イベントに前記第１参加者が参加しているときの、前記第１参加者の第１身体の動き、前記第１身体の状態、及び、前記第１参加者の声、の少なくともいずれかを検出する第１センサと、
情報を記憶するメモリと、
前記メモリに記憶された前記情報から前記検出した結果に基づく第１サービスを前記第１参加者に提供する提供部と、
を備えたサービス提供装置。
【請求項２】
前記メモリは、前記情報をアクセス制限状態で記憶し、
前記提供部は、前記第１サービスへのアクセス許可信号を、前記第１参加者に提供する請求項１記載のサービス提供装置。
【請求項３】
前記第１センサ及び前記メモリの少なくともいずれかは、前記第１参加者に保持される保持物に設けられる、請求項１または２に記載のサービス提供装置。
【請求項４】
前記保持物は、発光装置、旗状体、団扇状体、布状体、拡声器、マイクロフォン、腕輪、首輪、時計、指輪、眼鏡、衣服、靴、手袋、帽子、ヘッドホン、イヤホン、補聴器及びアクセサリの少なくともいずれかを含む、請求項３記載のサービス提供装置。
【請求項５】
前記第１センサ及び前記メモリの少なくともいずれかは、前記第１身体に付着される、請求項１または２に記載のサービス提供装置。
【発明の詳細な説明】
【技術分野】
【０００１】
本発明の実施形態は、サービス提供装置に関する。
【背景技術】
【０００２】
ユーザに各種のサービスを提供するシステムがある。例えば、コンサートまたはスポーツなどのイベントに参加する参加者に適切なサービスを提供することが望まれる。
【先行技術文献】
【特許文献】
【０００３】
【特許文献１】特開２０１３−５０８２４公報
【発明の概要】
【発明が解決しようとする課題】
【０００４】
本発明の実施形態は、イベントに参加する参加者に適したサービスを提供できるサービス提供装置を提供する。
【課題を解決するための手段】
【０００５】
本発明の実施形態によれば、サービス提供装置は、第１センサと、メモリと、提供部と、を含む。前記第１センサは、イベントに参加する第１参加者に保持される。前記第１センサは、前記イベントに前記第１参加者が参加しているときの、前記第１参加者の第１身体の動き、前記第１身体の状態、及び、前記第１参加者の声、の少なくともいずれかを検出する。前記メモリは、情報を記憶する。前記提供部は、前記メモリに記憶された前記情報から前記検出した結果に基づく第１サービスを前記第１参加者に提供する。
【図面の簡単な説明】
【０００６】
【図１】第１の実施形態に係るサービス提供システムを例示する模式図である。
【図２】第１の実施形態に係るサービス提供システムの動作を例示するフローチャート図である。
【図３】図３（ａ）〜図３（ｃ）は、第１の実施形態に係るサービス提供システムを例示する模式図である。
【図４】第１の実施形態に係るサービス提供システムを例示する模式図である。
【図５】第１の実施形態に係る別のサービス提供システムを例示する模式図である。
【図６】第１の実施形態に係るサービス提供システムを例示する模式図である。
【図７】第３の実施形態に係るサービス提供装置を例示する模式図である。
【図８】第４の実施形態に係るサービス提供装置を例示する模式図である。
【図９】第５の実施形態に係るサービス提供装置を例示する模式図である。
【発明を実施するための形態】
【０００７】
以下に、本発明の各実施の形態について図面を参照しつつ説明する。  
なお、本願明細書と各図において、既出の図に関して前述したものと同様の要素には同一の符号を付して詳細な説明は適宜省略する。
【０００８】
（第１の実施形態）  
図１は、第１の実施形態に係るサービス提供システムを例示する模式図である。  
図２は、第１の実施形態に係るサービス提供システムの動作を例示するフローチャート図である。  
図１に示すように、本実施形態に係るサービス提供システム１１０は、取得部１０と、提供部２０と、を含む。
【０００９】
図２に示すように、取得部１０は、イベントに参加する第１参加者８１の第１行動情報８１ｉを取得する（ステップＳ１１０）。
【００１０】
第１参加者８１は、イベントに関する行動を行う。第１行動情報８１ｉは、第１参加者８１のイベントに関する行動に関する情報である。
【００１１】
イベントは、例えば、コンサート、競技会、祭り、展示会及び販売会などを含む。競技会は、例えば、スポーツに関する。競技会は、例えば、ゲーム（カードゲーム、ボードゲーム及び電子ゲーム）を含んでも良い。イベントは、例えば、学園祭、結婚式、旅行または誕生日会などを含んでも良い。イベントには、複数の参加者が参加しても良い。イベントの種々の例については、後述する。
【００１２】
イベントには、例えば、パフォーマ８５が存在する。パフォーマ８５は、例えば、歌手、役者、舞踏者、アーティスト、スポーツ選手、及び、ゲームの実行者の少なくともいずれかを含む。パフォーマ８５は、イベントに関する製作者または制作物を含んでも良い。パフォーマ８５は、例えば、映画などの録画映像、アート作品、料理及び製品を含む。パフォーマ８５は、イベントに参加する別の参加者を含む。
【００１３】
以下では、説明を簡単にするために、イベントが、歌手のコンサートである場合について説明する。
【００１４】
第１参加者８１は、コンサートに参加する。第１参加者８１は、視聴者である。第１参加者８１は、コンサートに参加しているときに、パフォーマ８５（例えば、歌手）を応援する行動を取る。例えば、パフォーマ８５の状態に合わせて、手拍子をしたり、声をだしたり、体を揺らしたり、そして、ダンスをしたりする。この例の場合、パフォーマ８５の状態は、パフォーマ８５の歌、音楽及びダンスの少なくともいずれかの状態を含む。パフォーマ８５の状態は、照明、ガス放出、及び、振動の少なくともいずれかの状態を含んでも良い。
【００１５】
例えば、第１参加者８１は、光を発生するペンライトなどの保持物３０を持っている場合がある。第１参加者８１は、パフォーマ８５の歌やダンスに合わせて、保持物３０を動かす場合がある。このような第１参加者８１の行動が、第１行動情報８１ｉに含まれる。
【００１６】
取得部１０には、第１行動情報８１ｉを取得可能な電子装置が用いられる。第１参加者８１が撮像され、その撮像データを取得部１０が取得しても良い。後述するように、第１参加者８１がセンサ（第１センサ３１）を含む保持物３０を持っていても良い。このセンサにより、第１参加者８１の第１行動情報８１ｉが得られても良い。取得部１０の種々の例については、後述する。
【００１７】
提供部２０は、このような第１行動情報８１ｉに基づく第１サービス８１ｓを第１参加者８１に提供する。
【００１８】
例えば、第１行動情報８１ｉが評価される（図２に示すステップＳ１２０）。この評価は、例えば、取得部１０及び提供部２０の少なくともいずれかで行われても良い。評価は、取得部１０及び提供部２０とは別の電子装置で行われても良い。
【００１９】
例えば、第１参加者８１のペンライトの動きの、パフォーマ８５の状態（動きや音楽のリズムなど）への適合の程度が評価される。例えば、このような評価の結果が基準に達している場合に、第１サービス８１ｓが第１参加者８１に提供される。第１サービス８１ｓは、例えば、映像の視聴許可のパスワードなどを含んでも良い。評価の種々の例、及び、第１サービス８１ｓの種々の例については、後述する。
【００２０】
このように、本実施形態に係るサービス提供システム１１０においては、第１参加者８１に、第１参加者８１の第１行動情報８１ｉに基づく第１サービス８１ｓが提供される(図２に示すステップＳ１３０）。
【００２１】
これにより、第１参加者８１に適合するサービスが提供される。複数の参加者に上記のシステムが提供される。これにより、複数の参加者のそれぞれに、より適合するサービスが提供される。
【００２２】
実施形態においては、このようなサービスを、複数の参加者に提供する。例えば、取得部１０は、イベントに参加する第２参加者８２の、イベントに関する行動に関する第２行動情報８２ｉをさらに取得する。そして、提供部２０は、第２行動情報８２ｉに基づく第２サービス８２ｓを第２参加者８２に提供する。第２行動情報８２ｉが第１行動情報８１ｉとは異なるときに、第２サービス８２ｓは、第１サービス８１ｓとは異なる。このように、実施形態においては、参加者の行動に基づいて提供されるサービスが、参加者の行動に応じて異なる。参加者の行動についてしきい値が設けられる場合、参加者の行動が異なっていても、同じサービスが提供される場合がある。
【００２３】
以下、本実施形態に係るサービス提供システム１１０の動作のいくつかの例について説明する。
【００２４】
例えば、イベントに参加する第１参加者８１が、パフォーマ８５を応援する動作(第１行動）を、イベントの会場で行う。例えば、第１参加者８１は、ペン型照明をパフォーマ８５の歌や演奏に合わせて動かす。例えば、ペン型照明に加速度センサが設けられている。加速度センサにより、第１行動が検出される。第１参加者８１の動作（第１行動）に関する第１行動情報８１ｉが、例えば、パフォーマ８５の動き（例えばダンス）に関する情報と照合される。パフォーマ８５の動きに関する情報は、例えば、予め取得されている。パフォーマ８５の動きに関する情報は、イベントの会場において、パフォーマ８５の撮像データから得られても良い。例えば、画像解析装置が用いられる。
【００２５】
第１参加者８１の第１行動情報８１ｉと、例えば、パフォーマ８５の動きに関する情報と、の照合は、例えば、情報処理装置（例えばコンピュータ）により行われる。
【００２６】
例えば、第１行動情報８１ｉがチャートとして表現される。例えば、第１行動情報８１ｉのチャートの、パフォーマ８５の動きのチャートと、の適合部分が抽出される。この適合部分に応じて、用意されている情報（例えば映像情報など）の視聴許可が、第１参加者８１に提供される。この適合部分に応じて、用意されている情報（例えば映像情報など）につき、第１参加者８１に視聴が許可される。
【００２７】
例えば、第１参加者８１は、電子的な情報端末機器４０を有している。情報端末機器４０は、例えば、携帯型でも良い。情報端末機器４０には、第１参加者８１に対応する認識番号（ＩＤ番号）が付与されている。例えば、用意されている情報の視聴許可のパスワードが、その情報端末機器４０に送信される。
【００２８】
提供部２０は、例えば、第１参加者８１が行うパフォーマ８５への応援の程度に基づいて、第１サービス８１ｓを第１参加者８１に提供する。例えば、第１サービス８１ｓの内容は、第１参加者８１が行うパフォーマ８５への応援の程度によって変更される。例えば、応援の程度が高いときの第１サービス８１ｓの内容は、応援の程度が低いときの第１サービス８１ｓの内容よりも、参加者にとって喜ばれるように設定される。このため、第１参加者８１は、より良い第１サービス８１ｓが得られるように、より良い応援をしようとする。このため、第１参加者８１のような参加者により、そのイベントがより好ましく応援される。パフォーマ８５がより良く応援されることにより、イベントのパフォーマンスが向上する。第１参加者８１の満足度が高まる。イベントの価値がより高まる。
【００２９】
このように、本実施形態によれば、第１参加者８１に適合するサービスを第１参加者８１に提供できることに加えて、イベントのパフォーマンスが向上し、イベントの価値が高まる。その結果、参加者の満足度が高まる。
【００３０】
例えば、イベントがスポーツの競技会である場合、第１参加者８１は、その競技会を観戦している。パフォーマ８５は、競技会に参加しているスポーツ選手である。第１参加者８１は、チームまたはスポーツ選手を応援する。第１参加者８１は、旗または拡声器などの保持物３０を保持している。保持物３０に第１センサ３１が設けられている。第１センサ３１は、加速度センサ及びマイクロフォンなどを含む。第１参加者８１のイベントの会場内における第１行動情報８１ｉ（動作及び声など）が、第１センサ３１により検出される。第１行動情報８１ｉが、例えば、設定された評価パラメータを用いた情報に変換される。変換された第１行動情報８１ｉが、スポーツ選手の動きのパラメータと照合される。例えば、パラメータの一致の程度により、第１サービス８１ｓの内容が変更される。これにより、第１参加者８１に適合するサービスを第１参加者８１に提供できる。さらに、第１参加者８１のような参加者の応援により、イベントのパフォーマンスが向上し、イベントの価値が高まる。
【００３１】
このように、実施形態において、第１行動情報８１ｉは、例えば、第１参加者８１がイベントに参加しているときの第１参加者８１に関する情報である。例えば、第１行動情報８１ｉは、第１参加者８１の第１身体８１ｂの動き、第１身体８１ｂの状態、及び、第１参加者８１の声、の少なくともいずれかに関する。第１身体８１ｂの動きは、例えば、第１参加者８１の、手、足、胴及び頭の少なくともいずれか動きを含む。第１身体８１ｂの動きは、例えば、第１参加者８１の、手拍子及びダンスの少なくともいずれかを含む。第１身体８１ｂの状態の例については、後述する。第１参加者８１の声は、第１参加者８１の歌を含む。
【００３２】
第１行動情報８１ｉは、例えば、上記の第１センサ３１などにより取得されても良い。すなわち、取得部１０が第１センサ３１を含んでも良い。第１センサ３１は、第１参加者８１に保持される。第１センサ３１は、第１行動情報８１ｉに関する情報を取得する。
【００３３】
図１に示すように、例えば、第１センサ３１は、保持物３０に固定されている。実施形態において、第１センサ３１は、保持物３０に取り付けられて良い。保持物３０は、第１参加者８１に保持される。または、保持物３０は、第１参加者８１の第１身体８１ｂに付着される。
【００３４】
図３（ａ）〜図３（ｃ）は、第１の実施形態に係るサービス提供システムを例示する模式図である。  
図３（ａ）に示すように、保持物３０は、発光装置３０ａ（例えば照明）を含む。発光装置３０ａは、例えば棒状である。発光装置３０ａは、例えば、ペン型照明である。保持物３０は、旗状体３０ｂを含んでも良い。
【００３５】
図３（ｂ）に示すように、保持物３０は、扇状体３０ｃを含んでも良い。保持物３０は、布状体３０ｄを含んでも良い。保持物３０は、拡声器３０ｅを含んでも良い。拡声器３０ｅは、例えば、音の方向を制御する。拡声器３０ｅは、電子的に音（声）の大きさを拡大しても良い。保持物３０は、マイクロフォン３０ｆを含んでも良い。
【００３６】
図３（ｃ）に示すように、保持物３０は、腕輪３０ｇを含んでも良い。保持物３０は、首輪３０ｈを含んでも良い。保持物３０は、時計３０ｉを含んでも良い。保持物３０は、指輪３０ｊを含んでも良い。保持物３０は、眼鏡３０ｋを含んでも良い。保持物３０は、衣服３０ｌを含んでも良い。保持物３０は、靴３０ｍを含んでも良い。保持物３０は、手袋３０ｎを含んでも良い。保持物３０は、帽子３０ｏを含んでも良い。保持物３０は、情報端末機器４０（図１参照）を含んでも良い。保持物３０は、鉢巻き、風船、マスコット、座布団、チケットホルダ、タグ、耳飾り、名札、バッチ、シール、アクセサリ（例えば、Headband及びAlicebandの少なくともいずれかを含む）、ヘッドホン、イヤホン及び補聴器の少なくともいずれかを含んでも良い。
【００３７】
これらの保持物３０に第１センサ３１が設けられる。第１センサ３１は、例えば、加速度センサを含む。第１センサ３１は、第１参加者８１の第１身体８１ｂの動きを含む第１行動情報８１ｉを検出する。第１センサ３１は、第１参加者８１の第１身体８１ｂの少なくとも一部の、加速度、速度及び移動方向の少なくともいずれかを検出する。すなわち、第１サービス８１ｓは、第１身体８１ｂの少なくとも一部の、加速度、速度及び移動方向の少なくともいずれかに基づいて変更される。
【００３８】
第１センサ３１がマイクロフォンを含むとき、第１センサ３１は、第１参加者８１の声を含む第１行動情報８１ｉを検出する。
【００３９】
図４は、第１の実施形態に係るサービス提供システムを例示する模式図である。  
図４は、保持物３０として用いられる発光装置３０ａを例示している。  
図４に示すように、発光装置３０ａは、例えば、発光部３０ａｐを含む。発光部３０ａｐには、例えば、ＬＥＤなどが用いられる。発光部３０ａｐは、有機発光体でも良い。発光装置３０ａは、導光体３０ａｑを含んでも良い。
【００４０】
発光装置３０ａは、例えばバッテリ３１ａを含んでも良い。発光装置３０ａの筐体３０ａｒ内に、第１センサ３１が設けられる。筐体３０ａｒ内に、第１処理装置３１ｂ、第１通信部３１ｃ及び第１メモリ３１ｄ（記憶部）が設けられても良い。第１処理装置３１ｂは、例えば、ＣＰＵなどの半導体装置が用いられる。第１処理装置３１ｂは、第１センサ３１の検出結果の信号を処理する。第１通信部３１ｃは、検出結果に関する信号を外部に送信する。第１通信部３１ｃは、外部からの信号を受信しても良い。第１メモリ３１ｄは、検出結果に関する情報を格納（記憶）する。第１メモリ３１ｄは、第１処理装置３１ｂの動作に関する情報を格納（記憶）する。第１メモリ３１ｄは、第１サービス８１ｓに関する情報を格納（記憶）しても良い。
【００４１】
実施形態において、例えば、第１サービス８１ｓは、このような発光装置３０ａの動作状態に基づいて変更されても良い。例えば、パフォーマ８５の歌またはダンスなどのパフォーマンスに応じて、第１参加者８１によって、発光装置３０ａの発光の動作が切り替えられる。適切な切り変えを行ったときに、程度の高い第１サービス８１ｓが提供されても良い。
【００４２】
第１参加者８１の第１行動情報８１ｉは、他の方法で取得されても良い。  
図５は、第１の実施形態に係る別のサービス提供システムを例示する模式図である。  
図５に示すように、実施形態に係る別のサービス提供システム１１１において、取得部１０は、撮像部１１及びマイクロフォン１２の少なくともいずれかを含む。撮像部１１は、第１参加者８１の画像データを取得する。画像データは、第１参加者８１がイベントの会場にいるときの、第１参加者８１を含む画像データである。マイクロフォン１２は、第１参加者８１の声データを取得する。声データは、第１参加者８１がイベントに参加しているときの、第１参加者８１の声を含む音データである。撮像部１１及びマイクロフォン１２は、例えば、イベントの会場内に設けられる。撮像部１１の数は、複数でも良い。撮像部１１の数は、会場の広さに応じて定められても良い。画像データは、静止画及び動画の少なくともいずれかを含む。
【００４３】
さらに、取得部１０は、取得部１０に含まれないカメラまたはマイクロフォンにより取得されたデータを取得しても良い。この場合、取得部１０に、入手部１５が設けられる。入手部１５は、例えば、別に取得された第１参加者８１の画像データ、及び、別に取得された第１参加者８１の声データの少なくともいずれかを入手する。
【００４４】
このように、実施形態において、取得部１０における第１参加者８１の第１行動情報８１ｉは、種々の方法により取得される。
【００４５】
実施形態においては、イベントに参加する第１参加者８１が保持する保持物３０に設けられる第１センサ３１による第１参加者８１の動作及び声の検出結果に基づいて、第１サービス８１ｓが提供される。第１サービス８１ｓは、検出結果によって変更される。保持物３０は、例えば、イベントの応援に用いられる応援グッズを含む。
【００４６】
第１行動情報８１ｉは、第１参加者８１の第１身体８１ｂの状態を含んでも良い。第１身体８１ｂの状態は、例えば、第１身体８１ｂの、心拍数及び血圧の少なくともいずれかを含む。心拍数及び血圧に関する情報は、第１参加者８１が保持する種々の保持物３０などに設けられるセンサなどにより得られる。心拍数及び血圧に関する情報は、情報端末機器４０に設けられるセンサなどにより得られても良い。
【００４７】
例えば、第１参加者８１がイベントを応援する程度に応じて、心拍数及び血圧の少なくともいずれかが変化する。例えば、第１参加者８１がイベントを楽しんでいる状態に応じて、心拍数及び血圧の少なくともいずれかが変化する。提供部２０は、第１参加者８１の心拍数及び血圧の少なくともいずれかを含む情報に基づいて、第１サービス８１ｓを提供する。第１参加者８１に適合するサービスを第１参加者８１に提供できる。
【００４８】
第１行動情報８１ｉは、第１参加者８１が電子機器に入力する情報を含んでも良い。この情報は、例えば、取得部１０に含まれる入手部１５で行われる。例えば、電子機器として、保持物３０または情報端末機器４０が用いられても良い。第１行動情報８１ｉは、例えば、第１参加者８１がイベントに参加しているときに入力する情報を含んでも良い。
【００４９】
さらに、第１行動情報８１ｉは、例えば、第１参加者８１がイベントに参加する前または後に入力する情報を含んでも良い。例えば、イベントの特定の期間の前に、イベントの参加を申し込む期間などが設けられる。この期間において、第１参加者８１は、イベントを応援する行動をとる場合がある。例えば、イベントの特定の期間の後に、参加者がイベントについての感想または評価結果を表現する場合がある。イベントの後のこのような表現は、第１参加者８１のイベントを応援する行動に含まれる。イベントを応援する行動には、イベントの改善点を指摘する行動も含まれる。
【００５０】
第１参加者８１がイベントに参加する前または後に電子機器に入力する情報を含む第１行動情報に基づいて第１サービス８１ｓが提供されることで、イベントを応援する行動の範囲が広がる。第１参加者８１に、より適合するサービスが、提供できる。
【００５１】
本実施形態において、第１行動情報８１ｉは、イベントの会場中における第１参加者８１の行動（発言を含む）に関する情報を含む。例えば、第１行動情報８１ｉは、イベントのパフォーマ８５を応援する動作に関する情報を含む。応援する動作は、例えば、意識的な動作である。第１行動情報８１ｉは、パフォーマ８５に対応する動作に関する情報を含む。パフォーマ８５に対応する動作は、例えば、パフォーマ８５の動きに対応する意識的な動作である。第１行動情報８１ｉは、イベントにおける第１参加者８１の無意識的な反応を含んでも良い。第１行動情報８１ｉは、イベントにおける第１参加者８１のマナーを守る行動を含んでも良い。マナーは、例えば、イベント終了後の会場からの退場、及び、帰宅における、第１参加者８１の状態などを含む。
【００５２】
以下、第１行動情報８１ｉの評価の例について説明する。  
図６は、第１の実施形態に係るサービス提供システムを例示する模式図である。  
図６は、第１行動情報８１ｉの評価を例示している。  
第１行動情報８１ｉは、例えば、評価項目に基づいて評価される。例えば、第１センサ３１により検出された第１参加者８１の第１身体８１ｂの運動が評価される。評価結果が、例えばレーダチャートによって表示される。評価結果は、例えば、グラフ、記号、イラスト、パターン及びアバター（人形）の少なくともいずれかにより表示されても良い。評価結果は、例えば、気体及び液体の少なくともいずれかにより表現されても良い。評価結果は、表示される画像の構成の変化（漫画のコマ割りの変化など）により表示さえても良い。評価結果の可視化表現は、イベント毎に様々な表現が適用されても良い。
【００５３】
評価項目は、例えば、パフォーマ８５とのシンクロ度Ｅ１を含む。シンクロ度Ｅ１は、第１参加者８１の行動と、パフォーマ８５の動きと、のタイミングの一致度を含む。
【００５４】
評価項目は、他の参加者（例えば第２参加者８２）とのシンクロ度Ｅ２を含む。シンクロ度Ｅ２は、第１参加者８１の動きと、第１参加者８１とは異なる他の参加者（第２参加者８２）の動きと、のタイミングの一致度を含む。
【００５５】
評価項目は、例えば、動きの完成度Ｅ３を含む。動きの完成度Ｅ３は、第１参加者８１の動き（例えばダンス）と、予め定められた動きと、の一致度を含む。動きの完成度Ｅ３は、動きの大きさ及び時間を含んでも良い。動きの大きさは、第１参加者８１の第１身体８１ｂの移動する範囲の大きさである。動きの時間は、第１参加者８１の第１身体８１ｂが運動している時間の長さである。
【００５６】
例えば、第１センサ３１、撮像部１１及びマイクロフォン１２の少なくともいずれかにより得られるデータが、パフォーマ８５とのシンクロ度Ｅ１、他の参加者とのシンクロ度Ｅ２、及び、動きの完成度Ｅ３の評価項目に基づいて評価される。
【００５７】
評価項目は、例えば、熱中度Ｅ４を含んでも良い。熱中度Ｅ４は、例えば、第１参加者８１の集中度を含んでも良い。例えば、第１身体８１ｂの、心拍数及び血圧の少なくともいずれかを含むデータが、熱中度Ｅ４の評価項目として評価される。
【００５８】
評価項目は、例えば、貢献度Ｅ５を含んでもよい。貢献度Ｅ５は、イベントをより良く実施するための、行動（発言）の評価を含む。例えば、この行動（発言を含む）は、例えば、第１参加者８１の自発的な行動を含んでも良い。例えば、貢献度Ｅ５は、イベントを褒める行動（発言を含む）を含んでもよい。貢献度Ｅ５は、イベントに関する改善点を提案する行動（発言を含む）を含んでもよい。貢献度Ｅ５は、イベントにおけるトラブルを解消するための行動（発言を含む）を含んでもよい。例えば、イベントの会場における第１参加者８１の行動（発言を含む）に関する情報が、第１センサ３１、撮像部１１、マイクロフォン１２及び入手部１５により取得される。入手部１５の情報の入手は、Ｗｅｂなどの電子情報網からの入手を含む。このような情報が、貢献度Ｅ５のデータとして評価される。
【００５９】
評価項目は、例えば、協力度Ｅ６を含んでもよい。協力度Ｅ６は、例えば、イベントの運営に関わる指示への順守度などを含む。例えば、運営に関わる指示は、例えば、イベント会場内での移動の指示（入退場の指示、休憩の指示及び座席指示などを含む）などを含む。運営に関わる指示は、例えば、イベントの開催前及びイベントの開催後に行われる指示を含んでも良い。
【００６０】
例えば、実施形態の１つの例においては、入手された第１行動情報８１ｉを、評価項目（例えば図６に関して説明した評価項目など）に基づいて評価する（ステップＳ１２０）。評価の結果に基づいて第１サービス８１ｓを変更する。評価項目は、例えば、第１関連度を含む。第１関連度は、イベントで提供される、音楽及び映像の少なくともいずれかを含む提供情報と、第１行動情報８１ｉと、の間の相関を含む。第１関連度は、例えば、パフォーマ８５とのシンクロ度Ｅ１を含む。
【００６１】
評価項目は、例えば、第２関連度を含んでも良い。第２関連度は、イベントに参加する第２参加者８２のイベントに関する行動に関する第２行動に関する第２行動情報と、第１行動情報８１ｉと、の間の相関を含む。第２関連度は、第２参加者８２とのシンクロ度Ｅ２を含む。
【００６２】
以上のように、実施形態において、評価項目は、種々の変形が可能である。
【００６３】
実施形態に係る処理は、取得部１０及び提供部２０の少なくともいずれかで実施されても良い。
【００６４】
実施形態において、以下が、実施されても良い。  
例えば、加速度センサにより、第１参加８１の動作の激しさに関する情報が、取得される。この情報は、第１参加者８１の興奮度に対応する。第１参加者８１の興奮度の時間当たりの平均、及び、第１参加者８１の興奮度と、イベントの他の参加者の興奮度の平均と、の差の少なくともいずれかが、評価される。
【００６５】
例えば、加速度センサにより、第１参加者８１のリズム感と、楽曲のテンポ及びリズムの少なくともいずれかと、の差が評価される。
【００６６】
例えば、可視光通信の受信履歴に関する情報から、通信の取得数が、評価される。
【００６７】
例えば、周辺機器との通信に関する情報から、第１参加者８１の評価結果と、他の参加者の平均、及び、他の参加者の評価上位者と、の差の少なくともいずれかが評価される。周辺機器との通信に関する情報から、第１参加者８１の周囲との調和度が評価される。  
第１参加者８１のボタン押し動作に関する情報、及び、加速度センサでの検出結果に基づいて、第１参加者８１がいいと思った所のブックマークの、数及び分布度の少なくともいずれかが評価される。
【００６８】
計測及び判定する技術においては、例えば、加速度センサ、マイク、心拍及び画像認識技術などの少なくともいずれかが用いられる。
【００６９】
計測及び判定する対象は、例えば、会場音楽、アイドル及び観客同士などの少なくともいずれかを含む。
【００７０】
１つの例では、演者が持つ装置、及び、観客が持つ装置から、加速度センサデータを無線通信で会場内演算装置に集め、演者の動きデータ（加速度センサーデータ）と、観客の動きデータと、が比較される。演者の動きに近い動きデータを発信した上位１００名の観客について動きが適合したと判定する。
【００７１】
他の１つの例では、コンサートに参加している観客によって振られるペンライトに内蔵された加速度センサによって、上下左右前後の移動量、加速及び時間の少なくともいずれかに関するデータが計測される。計測されたこのデータが、ペンライトに内蔵されたメモリに保存される。上記の処理と同時に、演者の動きが測定される。この測定は、例えば、演者が持つマイクまたはアクセサリーなどの端末に内蔵された加速度センサにより行われる。または、この測定は、外部の画像解析装置によって測定される。し、無線通信によって会場内の演算装置に集められクラウド上のサーバにアップロードされる。観客は、上記のメモリから、個人所有の携帯端末またはパソコンを介して測定結果を確認し、サーバ上にある演者の測定結果と比較し、一致箇所の数に応じて段階的にあらかじめ設定された、動画データまたは音声データまたは広告または特典を、ダウンロードすることが可能となる。
【００７２】
他の１つの例では、観客が急激にペンライトを振った場合に、加速度センサとメモリとを搭載したデバイスが、振られた時刻及び継続時間を測定し記録する。観客はその時刻に該当する情報を、イベント運営者によってサーバに蓄積されたタイムラインを持った情報と照会することができる。例えば、それは、同時刻の演出効果の内容、もしくは同時刻に録音された演者のマイクパフォーマンスの内容、もしくは同時刻に外部の画像解析装置によって測定された演者の立ち位置や身体動作などである。また、それらの情報には結びつけられたコンテンツが存在し、観客は携帯端末やパーソナルコンピュータにて確認することが出来る。
【００７３】
他の１つの例では、イベント開始前にあらかじめ観客Ａによってペンライト型デバイスを用いた応援動作の振付が、応援動作の解説と、ペンライト型デバイス内に設けられている加速度センサの測定結果と、ともに、サーバにアップロードされている。観客Ｂは、イベント開始前またはイベント時に、観客Ａの動きをペンライト型デバイスを持って真似を行い、同様に記録された加速度センサの測定結果や色の設定を、サーバにアップロードする。サーバ上で観客Ａと観客Ｂの測定結果の一致数を測定し、段階的に評価結果を両者に提示する。評価結果に応じて、観客Ａまたは運営者側より、コンテンツのダウンロード権が送られる。
【００７４】
他の１つの例では、観客が保持している団扇型のデバイス等に内蔵された可視光通信受光部に向かって、アイドルが保持している可視光通信発信部からの光が当たると、デバイスは、受光回数及びパルス信号の少なくともいずれかを記録する。サーバ接続時に、受光回数及びパルス信号の少なくともいずれかに応じて、運営者側によって設定されたコンテンツの取得権利を得ることができる。赤外線通信及び音波通信の少なくともいずれかが利用されても良い。
【００７５】
他の１つの例では、運営者側より観客に向かって、席での待機を音声によって指示した場合に、それに従って自席で待機している観客の保持する端末に対して、電波強度を抑えた無線通信機器の信号を受信できるかどうかで、判定が行われる。音声指示によって移動を促した際に、コンテンツのダウンロード権を証明するコードが、同様の無線通信機器より発信され、指示を守っていた観客のみ、コードを受信することができる。または、出口に設置された短距離無線通信端末から、移動指示のタイミングに合わせて、異なるデータが発信され、観客の端末に保存されている座席情報と統合されて、初めてコンテンツのダウンロード権が再現可能となる。
【００７６】
提供部２０から第１参加者８１に供給される第１サービス８１ｓの例について説明する。  
第１サービス８１ｓは、例えば、取得部１０によって取得された第１行動情報８１ｉの表示を含んでも良い。例えば、第１行動情報８１ｉが、パフォーマ８５を応援する動作を含む場合は、応援する動作が実施されている時間の表示が、第１サービス８１ｓとして提供されても良い。表示は、視覚的に認識し易い図形などを用いて行われても良い。
【００７７】
第１サービス８１ｓは、例えば、第１行動情報８１ｉの評価結果の表示を含んでも良い。例えば、第１行動情報８１ｉが、パフォーマ８５を応援する動作を含む場合は、応援する動作の評価結果の表示が、第１サービス８１ｓとして提供されても良い。例えば、図６に例示したチャートなどが提供されても良い。この場合の表示も、視覚的に認識し易い図形などを用いて行われても良い。
【００７８】
図形は、多角形などの幾何パターンを有しても良い。図形は、人を表す形状を有しても良い。図形は、人が持つ物体、または、人が装着する衣服など（ヘルメットなどを含む）の形状を有しても良い。例えば、第１行動情報８１ｉに基づく評価結果により、上記の物体、または、衣服などが変更されても良い。
【００７９】
第１サービス８１ｓは、例えば、映像、画像（例えば、イラスト及び写真など）、音楽及び音声の少なくともいずれかの情報を含んでも良い。これらの情報は、例えば、イベントに関する情報でも良い。これらの情報は、例えば、パフォーマ８５に関する情報でも良い。これらの情報は、第１参加者８１が参加するイベントとは別のイベントに関する情報でも良い。これらの情報は、第１参加者８１が参加するイベントのパフォーマ８５とは別のパフォーマに関する情報でも良い。これらの情報が、第１サービス８１ｓとして提供されても良い。第１サービス８１ｓは、情報を閲覧可能にするパスワードでも良い。
【００８０】
第１サービス８１ｓは、例えば、第１参加者８１が参加するイベントの、主催者に関する情報、協力者に関する情報、主催の経緯に関する情報、歴史に関係する情報、及び、関連する他のイベントに関する情報を含んでも良い。
【００８１】
第１サービス８１ｓは、例えば、第１参加者８１が参加するイベントの会場に関する情報、及び、その会場の周辺地域に関する情報（交通手段、駐車場及びレストランなど）、会場の周辺に関するニュースに関する情報、及び、イベントの開催日の天気に関する情報などを含んでも良い。
【００８２】
第１サービス８１ｓは、例えば、イベントに参加する他の参加者に関する情報を含んでも良い。第１サービス８１ｓは、広告を含んでも良い。第１サービス８１ｓは、他のイベント、飲食、レシピ、旅行、教育、美容及び健康などに関する情報を含んでも良い。
【００８３】
第１サービス８１ｓは、情報の他に、有形物を含んでも良い。有形物は、例えば、映像及び音楽を含む記憶媒体、写真、及び、グッズの少なくともいずれかを含む。
【００８４】
第１サービス８１ｓは、例えば、ギフト商品、商品券、金融商品、及び、商品の予約の少なくともいずれかを含んでも良い。
【００８５】
第１サービス８１ｓは、例えば、第１参加者８１から他に移動可能でも良い。例えば、第１サービス８１ｓ及び第１サービス８１に関する情報は、第１参加者８１から、イベントの他の参加者に譲渡可能でも良い。例えば、第１参加者８１が得た第１サービス８１ｓ（例えば、画像、音声及びパスワードの少なくともいずれかを含む）を、別の参加者に譲渡可能でも良い。例えば、譲渡は、イベントの運営者への連絡、及び、イベントの運営者の承認に基づいても良い。
【００８６】
実施形態の１つの例においては、入手された第１行動情報８１ｉが、評価項目に基づいて評価される（ステップＳ１２０）。評価の結果に基づいて第１サービス８１ｓが変更される。第１サービス８１ｓは、第１行動情報８１ｉに基づいて作成された第１画像情報、評価の結果に基づいて作成された第２画像情報、イベントに関する第３画像情報、イベントに関する映像情報、イベントに関する音楽情報、及び、イベントに関する音声情報の少なくともいずれかを含んでもよい。
【００８７】
以上のように、第１サービス８１ｓは、種々の変形が可能である。
【００８８】
以下、第１サービス８１ｓの提供方法の例について説明する。  
第１サービス８１ｓは、例えば、イベントの会場で第１参加者８１に提供されても良い。第１サービス８１ｓは、例えば、イベント会場に付設されるグッズショップで提供されても良い。
【００８９】
第１サービス８１ｓは、例えば、電子的なＷｅｂを介して提供されても良い。Ｗｅｂは、イベントに関して設けられたＳＮＳ（Social Networking Service）を含んでも良い。Ｗｅｂは、電子的な掲示板を含んでも良い。第１サービス８１ｓは、電子的なＷｅｂによる通信販売により提供されても良い。Ｗｅｂによる提供は、例えば、イベントを運営する組織（運営会社または委託された会社など）により行われる。
【００９０】
第１サービス８１ｓは、例えば、デジタルサーネージにより提供されても良い。第１サービス８１ｓは、例えば、自動販売機により提供されても良い。
【００９１】
第１サービス８１ｓは、第１参加者８１が保持する保持物３０を介して提供されても良い。上記のように、第１参加者８１が、応援のための保持物３０（ペン型照明など）を保持している場合、その保持物３０に第１サービス８１ｓとして、情報が送信されても良い。例えば、この情報には、特定の情報を視聴可能にするパスワードを含んでも良い。
【００９２】
例えば、保持物３０は、そのイベントに特有に設計されても良い。例えば、そのイベントのパフォーマ８５に関する情報が、保持物３０に設けられる第１メモリ３１ｄに格納される。第１メモリ３１ｄにその特定の情報を格納した状態で、保持物３０が販売されても良い。または、第１参加者８１が、保持物３０の第１メモリ３１ｄに、例えば、Ｗｅｂを介してダウンロードされたその特定の情報を格納しても良い。第１サービス８１ｓが、その特定の情報に関するパスワードでも良い。パスワードの提供は、保持物３０の第１通信部３１ｃを介して行われても良い。パスワードの提供は、例えば、第１参加者８１が所有する情報端末機器４０を介して行われても良い。
【００９３】
第１サービス８１ｓは、頒布されるアプリケーションソフトウエアまたはデータなどのソフトウエアのダウンロードのためのパスワードを含んでも良い。第１サービス８１ｓは、第１サービス８１ｓとして提供される各種の電子データを使用にするためのドライバソフトウエアを含んでも良い。
【００９４】
さらに、第１行動情報８１ｉの評価結果に基づいて、各種の情報へのアクセスが可能になっても良い。すなわち、例えば、サーバにおいて第１参加者８１が認識され、第１参加者８１からの所定の情報へのアクセスがパスワードの入力などをしないで可能にしても良い。
【００９５】
実施形態において、第１サービス８１ｓの第１参加者８１への提供は、例えば、イベントに関して第１参加者８１に提供されるデータ（ソフトウエアを含む）への第１参加者８１によるアクセスを可能にすることを含む。  
このように、第１サービス８１ｓの提供方法は、種々の変形が可能である。
【００９６】
本実施形態においては、例えば、イベントにおいて、パフォーマ８５を応援するグッズ（保持物３０など）に加速度センサが設けられる。第１参加者８１の動き（応援の動作）が加速度センサにより検出される。検出結果（第１参加者８１の行動履歴）が、視覚化されて表示される。第１参加者８１は、この表示を見ることで、イベントをより楽しむことができる。他の参加者と競う合うことができる。行動履歴に応じて、配信されるコンテンツ（写真及び映像など）が、参加者に応じて変更される。行動履歴に応じて、表示される広告または商品が、参加者によって変更される。
【００９７】
本実施形態においては、例えば、パフォーマ８５を応援するグッズに、コンテンツ（写真及び映像など）の情報が格納される。検出された第１行動情報８１ｉに応じて、コンテンツのアクセスのロックが解除されても良い。
【００９８】
このように、本実施形態においては、イベントに参加する参加者の行動及び状態が検出される。検出結果がパラメータ化される。一方、コンテンツがパラメータ化される。パラメータ化された検出結果と、パラメータ化されたコンテンツと、の照合が行われる。照合結果に応じて、提供されるサービス（コンテンツ）が変更される。本実施形態においては、例えば、イベントへの参加者の行動及び状態の少なくともいずれかが、第１センサ３１により検出される。検出結果が、設定されている評価項目に従って評価される。例えば、点数づけが行われる。評価結果に基づいて、点数に対応づけられたサービスが、参加者に提供される。サービスは、コンテンツ（情報）及び有形物の少なくともいずれかを含む。
【００９９】
本実施形態において、例えば、イベントの第１参加者８１が、パフォーマ８５を応援する動作（第１行動）を実施する。この第１行動に関する第１行動情報８１ｉが、第１参加者８１が保持する保持物３０（例えばペン型照明）に設けられた第１センサ３１（例えば、加速度センサ）により検出される。第１行動情報８１ｉが、例えば、保持物３０内に設けられている第１処理装置３１ｂにより、処理される。第１行動情報８１ｉが、評価項目に基づいて、評価される。第１行動情報８１ｉが、例えば、数値化される。第１行動情報８１ｉに基づいて、例えば、写真、映像及び音声の少なくともいずれかを含むコンテンツが第１サービス８１ｓとして提供される。このコンテンツに関する情報は、保持物３０に予め格納されても良い。参加者のそれぞれの行動に応じて提供されるサービスが変化する。この例においては、通信なしで、サービスの提供が可能になる。
【０１００】
本実施形態において、通信を用いて、サービスが提供されても良い。例えば、保持物３０として、発光装置３０ａ（例えばペン型照明）が用いられる。保持物３０の発光が、例えば、第１処理装置３１ｂにより制御される。この制御には、例えば、保持物３０に設けられる第１メモリ３１ｄに格納されたプログラムが用いられる。この制御は、他の参加者と連携しても良い。発光装置３０ａの振動が、このプログラムによって制御されても良い。制御は、イベント中に送信される信号（情報）により行われても良い。保持物３０には第１センサ３１（加速度センサなど）が設けられる。例えば、イベント後に、取得された第１行動情報８１ｉが評価される。評価結果に基づいて、クラウド上に用意されたサービスへのアクセス権限が変更される。この例では、保持物３０は、イベント時にパフォーマ８５を応援するデバイスとして使用される。さらに、保持物３０は、第１行動情報８１ｉを送信するデバイスとして使用される。さらに、保持物３０は、クラウドサービスに基づくコンテンツ交換が可能なデバイスとして使用される。
【０１０１】
実施形態によれば、イベントに参加する参加者に、より適したサービスを提供できるサービス提供システムを提供できる。
【０１０２】
実施形態において、特定の期間において、イベントが開催される。イベントは、遊園地及び観光地の少なくともいずれかを含んでも良い。イベントは、例えば、一定の場所で開催される。イベントは、複数の場所で同時に開催されても良い。
【０１０３】
実施形態において、第１行動情報８１ｉは、イベントに参加する前の第１参加者８１の行動及び体験の少なくともいずれかも含んでも良い。イベントに参加する前の第１参加者８１の行動及び体験は、例えば、ペンライトのモーションと、光り方と、の関係に関するプログラムを作成し、そのプログラムをアップロードすることを含んでも良い。イベントに参加する前の第１参加者８１の行動及び体験は、例えば、ペンライトのモーションと、光り方と、の関係に関するプログラムをダウンロードすることを含んでも良い。イベントに参加する前の第１参加者８１の行動及び体験は、ペンライトのモーションと、光り方と、の関係に関するプログラムについて語り合うことを含んでも良い。イベントに参加する前の第１参加者８１の行動及び体験は、イベントにどういう風に参加しようか、どう関わろうか、と語り合うことを含んでも良い。イベントに参加する前の第１参加者８１の行動及び体験は、イベントをどうしようかと語り合うことを含んでも良い。
【０１０４】
実施形態において、第１行動情報８１ｉは、イベントに参加した後の第１参加者８１の行動及び体験の少なくともいずれかも含んでも良い。
【０１０５】
（第２の実施形態）  
本実施形態においては、第１参加者８１の第１行動情報８１ｉは、例えば、イベントに関連する第１参加者８１の購買情報を含む。例えば、第１参加者８１は、そのイベントに関するグッズなどを購入する。第１行動情報８１ｉは、このような購買履歴を含んでも良い。購買履歴は、イベントを応援する程度によって変化する。このような購買履歴は、例えば、ＰＯＳ（Point of Sales System）などの検出システムにより得られる。このような購買記録は、インターネットを介した通信記録から得られる。
【０１０６】
第１行動情報８１ｉは、例えば、第１参加者８１の通信記録に関する情報を含んでも良い。第１参加者８１は、例えば、情報端末機器４０を有している。第１行動情報８１ｉは、情報端末機器４０を介した通信記録を含んでも良い。通信記録は、イベントに関する第１参加者８１のコメントなどの通信の記録を含んでも良い。第１行動情報８１ｉは、例えば、第１参加者８１の検索履歴を含んでも良い。
【０１０７】
通信記録は、例えば、情報端末機器４０の通信記録から得られる。通信記録は、例えば、インターネットを介した通信記録から得られる。情報端末機器４０は、例えば、電話及びパーソナルコンピュータなどを含む。情報端末機器４０の形態は、任意である。
【０１０８】
第１行動情報８１ｉは、例えば、第１参加者８１の位置情報を含んでも良い。第１参加者８１は、イベントに関する種々の場所を訪れる。第１参加者８１の位置情報により、第１参加者８１がイベントを応援している程度を推定できる。
【０１０９】
第１行動情報８１ｉは、第１参加者８１から入力される情報を含んでも良い。例えば、第１行動情報８１ｉは、質問に対する第１参加者８１の回答を含んでも良い。
【０１１０】
第１行動情報８１ｉに関する評価項目は、例えば、種々のイベントへの第１参加者８１の参加率を含んでも良い。評価項目は、例えば、第１参加者８１がイベントに関して消費する金額を含んでも良い。評価項目は、例えば、第１参加者８１がイベントに関する購買の頻度を含んでも良い。イベントに関する購買は、例えば、イベントに関するグッズの購買を含む。
【０１１１】
第１行動情報８１ｉの評価項目は、第１参加者８１のイベントに関する開発の程度を含んでも良い。第１行動情報８１ｉの評価項目は、第１参加者８１のイベントに関する企画の程度を含んでも良い。例えば、第１参加者８１は、イベントの運営組織とは別に、イベントを支援する行動を行う場合がある。例えば、第１参加者８１が、インターネットを介して、イベントに関するコメントを発信する場合がある。第１参加者８１が、イベントに関する呼びかけを行う場合がある。第１行動情報８１ｉは、このような行動に関する情報を含んでも良い。
【０１１２】
第１行動情報８１ｉは、第１参加者８１のイベントに関して消費する時間に関する情報を含んでも良い。第１行動情報８１ｉは、ＳＮＳにおける知り合いの数に関する情報を含んでも良い。第１行動情報８１ｉは、第１参加者８１が参加するイベントとは別のイベントへの招待回数に関する情報を含んでも良い。第１行動情報８１ｉは、第１参加者８１の種々のイベントにおける遅刻率及び並ぶ時間の少なくともいずれかに関する情報を含んでも良い。第１行動情報８１ｉは、第１参加者８１の年齢及び性別に関する情報を含んでも良い。
【０１１３】
本実施形態において、例えば、第１参加者８１は、イベントに参加する際に登録を行う。登録により、第１参加者８１には、特定の認識情報（例えばＩＤ）が付与される。第１参加者８１は、保持物３０（応援グッズ）を保持する。保持物３０は、認識情報と関連づけられる。保持物３０には、第１センサ３１（例えば、加速度センサ）が設けられる。保持物３０には、第１メモリ３１ｄも設けられる。第１参加者８１は、イベントのパフォーマ８５を応援する行動を行う。第１参加者８１は、イベントにおけるマナーを守る行動等を行う。このような行動に加え、ＰＯＳによるグッズ購入履歴が第１行動情報８１ｉとして取得される。第１行動情報８１ｉが評価される。評価結果が、パラメータに変換される。一方、イベントの開催組織によって、パラメータと関連づけられた複数のサービスが用意される。複数のサービスは、例えば、参加可能な他のイベント、アクセス可能なＷｅｂサービス、及び、入手可能なコンテンツなどを含む。第１行動情報８１ｉの評価結果が、パラメータと関連づけられた複数のサービスと照合される。この照合は、例えば、クラウド上の情報処理装置で行われる。例えば、第１参加者８１の無意識の行動を含めて、評価が行われる。評価の結果に基づいて、例えば、コンテンツへのアクセス制限が変更される。
【０１１４】
本実施形態によれば、イベントに参加する参加者に、より適したサービスを提供できるサービス提供システムが提供できる。
【０１１５】
（第３の実施形態）  
図７は、第３の実施形態に係るサービス提供装置を例示する模式図である。  
本実施形態に係るサービス提供装置２１０は、例えば、実施形態に係るサービス提供システム１１０などに用いられる。  
図７に示すように、サービス提供装置２１０は、第１センサ３１と、第１通信部３１ｃと、を含む。
【０１１６】
第１センサ３１は、イベントに参加する第１参加者８１に保持される。この例では、第１センサ３１は、保持物３０（この例では、発光装置３０ａ）に設けられる。第１センサ３１は、イベントに第１参加者８１が参加しているときの、第１参加者８１の第１身体８１ｂの動き、第１身体８１ｂの状態、及び、第１参加者８１の声、の少なくともいずれかを検出する。
【０１１７】
第１通信部３１ｃは、検出した結果を送信する。さらに、第１通信部３１ｃは、その結果に基づいた第１サービス８１ｓを受信して、第１サービス８１ｓを第１参加者８１に提供する。
【０１１８】
第１通信部３１ｃで受信された第１サービス８１ｓは、例えば、コンテンツにアクセする権限のパスワードでも良い。第１通信部３１ｃで受信された第１サービス８１ｓの情報により、例えば、メモリ３１ｄに格納されたアプリケーションプログラムが起動しても良い。
【０１１９】
本実施形態によれば、イベントに参加する参加者に適したサービスを提供できるサービス提供装置が提供できる。
【０１２０】
サービス提供装置２１０は、バッテリ３１ａ、第１処理装置３１ｂ及び第１メモリ３１ｄの少なくともいずれかをさらに含んでも良い。
【０１２１】
サービス提供装置２１０の形態は、例えば、図３（ａ）〜図３（ｃ）に関して説明した任意の保持物３０の形態を有しても良い。
【０１２２】
（第４の実施形態）  
図８は、第４の実施形態に係るサービス提供装置を例示する模式図である。  
本実施形態に係るサービス提供装置２１１は、例えば、実施形態に係るサービス提供システム１１０などに用いられる。  
図８に示すように、サービス提供装置２１１は、例えば、第１センサ３１と、提供部３１ｐと、を含む。
【０１２３】
第１センサ３１は、イベントに参加する第１参加者８１に保持される。この例では、第１センサ３１は、保持物３０（発光装置３０ａ）に設けられている。第１センサ３１は、イベントに第１参加者８１が参加しているときの、第１参加者８１の第１身体８１ｂの動き、第１身体８１ｂの状態、及び、第１参加者８１の声、の少なくともいずれかを検出する。
【０１２４】
提供部３１ｐは、検出した結果に基づいた第１サービス８１ｓを、第１参加者８１に提供する。提供部３１ｐは、例えば、表示部でも良い。提供部３１ｐは、第１サービス８１ｓを含む情報を格納しても良い。第１参加者８１は、提供部３１ｐに格納された第１サービス８１ｓを含む情報を、別の情報機器に提供し、第１サービス８１ｓを受け取っても良い。
【０１２５】
この例では、サービス提供装置２１１に、第１メモリ３１ｄが設けられている。第１メモリ３１ｄには、種々のコンテンツが格納されている。提供部３１ｐは、検出した結果に基づいて、第１メモリ３１ｄに格納された複数のコンテンツの少なくともいずれかを、第１サービス８１ｓとして、第１参加者８１に提供する。
【０１２６】
第１メモリ３１ｄは、例えば、容量の大きな記録媒体である。第１メモリ３１ｄに、大容量のコンテンツが記録されている。第１センサ３１が検出した第１参加者８１の第１行動情報８１ｉが、サービス提供装置２１１内で、評価される。この評価には、例えば、第１メモリ３１ｄに格納された評価プログラムが用いられる。評価は、例えば、第１処理装置３１ｂで行われる。評価結果に基づいて、例えば、コンテンツの視聴制限が、段階的に解除される。
【０１２７】
例えば、イベント（例えばコンサート）において、応援グッズが配布される。配布は、例えば有料または無料である。サービス提供装置２１１は、この応援グッズを含む。応援グッズは、例えば、保持物である。応援グッズ内に、写真、映像、音楽、音声、割引券及び広告の少なくともいずれかを含む情報が格納されている。これらの情報は、例えば、イベントの運営組織から提供される。この情報は、例えば、複数のコンテンツを含む。例えば、いくつかのコンテンツには、アクセス制限が設けられている。第１参加者８１は、最初は、いくつかのコンテンツにはアクセスできない。第１参加者８１が応援グッズを用いて行った動作が、第１センサ３１により検出される。検出結果が、第１行動情報８１ｉとなる。検出結果が評価され、検出結果に応じて、コンテンツのアクセス制限が解除される。
【０１２８】
この例では、サービス提供装置２１１内の処理により、第１行動情報８１ｉが取得され、第１サービス８１ｓが提供される。他の機器との通信が省略できるため、高速の処理が可能になる。さらに、イベント会場における通信容量が増えることが抑制され、イベントの運営への負担が軽減される。この場合には、第１通信部３１ｃが省略されても良い。
【０１２９】
サービス提供装置２１１は、例えば、提供部３１ｐを含む。提供部３１ｐは、第１行動情報８１ｉに基づいて、アクセス許可信号を第１参加者８１に提供する。第１行動情報８１ｉは、イベントに参加しているときの、第１参加者８１の第１身体８１ｂの動き、第１身体８１ｂの状態、及び、第１参加者８１ｂの声、の少なくともいずれかを含む。第１行動情８１ｉは、例えば、第１参加者８１の画像データ、及び、第１参加者８１の声データから検出される。アクセス許可信号は、第１サービス８１ｓに関する情報のアクセス許可に関する信号である。第１サービス８１ｓに関する情報は、イベントにおいて第１参加者８１に保持される保持部３０に設けられた記憶部（例えば第１メモリ３１ｄ）に、アクセス制限状態で記憶されている。
【０１３０】
（第５の実施形態）
図９は、第５の実施形態に係るサービス提供装置を例示する模式図である。  
本実施形態に係るサービス提供装置２１２は、例えば、実施形態に係るサービス提供システム１１０及び１１１などに用いられる。  
図９に示すように、サービス提供装置２１２は、提供部３１ｐを含む。提供部３１ｐは、第１参加者８１の第１行動情報８１ｉに基づいて、第１サービス８１ｓを第１参加者８１に提供する。
【０１３１】
第１行動情報８１ｉは、イベントに参加しているときの第１参加者８１の第１身体８１ｂの動き、第１身体８１ｂの状態、及び、第１参加者８１の声、の少なくともいずれかを含む。第１行動情報８１ｉは、第１参加者８１の画像データ、及び、第１参加者８１の声データからを検出された、第１参加者８１の情報である。この第１行動情報８１ｉは、例えば、撮像部１１及びマイクロフォン１２の少なくともいずれかにより取得される。撮像部１１及びマイクロフォン１２は、例えば、イベントの会場内に設けられる。
【０１３２】
この例においては、サービス提供装置２１２は、第１通信部３１ｃを含む。取得された第１行動情報８１ｉは、第１通信部３１ｃにより入手される。第１通信部３１ｃにより入手された第１行動情報８１ｉが、サービス提供装置２１２内で評価される。評価結果に基づいて、第１サービス８１ｓが提供部３１ｐにより提供される。
【０１３３】
サービス提供装置２１２は、応援グッズを含む。応援グッズ内に、写真、映像、音楽、音声、割引券及び広告の少なくともいずれかを含む情報が格納されている。この情報は、例えば、複数のコンテンツを含む。例えば、いくつかのコンテンツには、アクセス制限が設けられている。第１参加者８１のイベントにおける動作が、撮像部１１及びマイクロフォン１２などにより検出される。検出結果が評価され、検出結果に応じて、コンテンツのアクセス制限が解除される。
【０１３４】
サービス提供装置２１２においては、例えば、イベントの会場に設けられる無線通信システム及びデジタルサイネージの少なくともいずれかのシステムにより得られる情報に応じて、複数のコンテンツのいずれかへのアクセスが可能になる。
【０１３５】
本実施形態においては、多くの参加者による大容量の通信を行わずに、複数の参加者のそれぞれに適合するサービスの提供が可能となる。
【０１３６】
サービス提供装置２１２において、第１行動情報８１ｉの評価は、サービス提供装置２１２とは別に行われても良い。評価結果の情報が、サービス提供装置２１２に送信されても良い。
【０１３７】
サービス提供装置２１２において、第１サービス８１ｓとなる複数のコンテンツは、サービス提供装置２１２とは別に設けられても良い。サービス提供装置２１２は、例えば、別に設けられた複数のコンテンツを、有線または無線の任意の通信システムを介して入手しても良い。
【０１３８】
サービス提供装置２１２において、ＰＯＳ及びインターネットなどのシステムにより得られる情報に応じて、複数のコンテンツのいずれかへのアクセスが可能になっても良い。
【０１３９】
サービス提供装置２１２は、携帯形の情報端末機器でも良い。例えば、この情報端末機器に、第１参加者８１の選択とは関係なく、複数のコンテンツ（画像、映像または音楽など）が保存されている。例えば、体調管理を行うためのウェアラブル機器により、ユーザの心拍が検出される。検出された結果に応じて、複数のコンテンツのいずれかへのアクセスが可能になる。この例においては、通信インフラシステムに負荷をかけることなく、それぞれのユーザに適合するサービスを提供することができる。
【０１４０】
例えば、ヒトまたは動物の状態が状態センサで検出される。状態センサは、例えば、加速度センサ（例えば第１センサ３１）、撮像部１１、マイクロフォン１２、及び、位置情報センサの少なくともいずれかを含む。位置情報センサは、例えば、衛星測位システム（例えばＧＰＳを含む）を含む。位置情報センサは、例えば、無線通信機を利用した測位システムを含む。状態センサは、体状態を検出するセンサを含んでも良い。体状態を検出するセンサは、体温、心拍、血圧及び発汗の少なくともいずれか測定する。
【０１４１】
状態センサの結果に応じたサービスが提供される。サービスは、複数のデータへのアクセスを段階的に有効にすることを含む。複数のデータへのアクセスは、例えば、複数のコンテンツのいずれかの提供を含む。複数のデータへのアクセスは、複数のコンテンツへのアクセス制限の解除を含む。
【０１４２】
複数のコンテンツは、例えば、画像、映像、音楽及び音声の少なくともいずれかを含む。複数のデータは、例えば、パスワード、暗証番号及びバーコードを含む。複数のデータは、インターネットサービス及びアプリケーションソフトウエアの少なくともいずれかに関する情報を含む。複数のデータは、コンテンツを操作するソフトウエアを含む。
【０１４３】
複数のデータは、例えば、情報機器（携帯端末機器、パーソナルコンピュータなど）に設けられる記憶媒体に格納される。複数のデータは、インターネット上に設置された記憶媒体に格納されても良い。これらの記憶媒体は、例えば、ディスクメディア（例えば、ハードディスク、ＤＶＤ及びＣＤを含む）、または、半導体メモリ（例えば、不揮発性半導体記憶装置など）などに格納される。
【０１４４】
実施形態は、状態センサの結果に応じて、記憶媒体に記録されたデータを段階的に有効にしていくことを含む。
【０１４５】
実施形態において、例えば、公共施設、商業施設、商店街、遊園地及び街中の少なくともいずれかを含む場所をユーザが移動している際に、その場所に設置されている近距離無線端末（ビーコン）から配信される情報を取得するウェアラブル端末に事前に登録された項目に合わせて、情報の選択が行われる。この際に、例えば、ウェアラブル端末には、個人情報は必要としない。例えば、設置されている近距離無線端末は、登録されている項目に限り、ユーザに情報を配信する。
【０１４６】
例えば、買い物の際に、ユーザの移動経路、または、商品の移動が、画像解析装置及び無線通信装置によって計測される。画像解析装置及び無線通信装置は、例えば、ユーザが使用するカート（カゴを含む）に内蔵される。画像解析装置及び無線通信装置は、施設内に設置されても良い。例えば、混雑時の周辺への配慮、及び、商品の出し入れの少なくともいずれかから推測される購入率を計測する。この時点では、個人情報の登録などは発生しない。購入率は、カートの情報として取り扱われ、購入率に応じたクーポンの発券などが行われる。
【０１４７】
実施形態によれば、イベントに参加する参加者に、より適したサービスを提供できるサービス提供システム及びサービス提供装置が提供できる。
【０１４８】
以上、具体例を参照しつつ、本発明の実施の形態について説明した。しかし、本発明は、これらの具体例に限定されるものではない。例えば、サービス提供システム及びサービス提供装置に含まれる取得部、提供部、保持物、撮像部、マイクロフォン、入手部、センサ、バッテリ、処理装置、メモリ及び通信装置どの各要素の具体的な構成に関しては、当業者が公知の範囲から適宜選択することにより本発明を同様に実施し、同様の効果を得ることができる限り、本発明の範囲に包含される。
【０１４９】
また、各具体例のいずれか２つ以上の要素を技術的に可能な範囲で組み合わせたものも、本発明の要旨を包含する限り本発明の範囲に含まれる。
【０１５０】
その他、本発明の実施の形態として上述したサービス提供システム及びサービス提供装置を基にして、当業者が適宜設計変更して実施し得る全てのサービス提供システム及びサービス提供装置も、本発明の要旨を包含する限り、本発明の範囲に属する。
【０１５１】
その他、本発明の思想の範疇において、当業者であれば、各種の変更例及び修正例に想到し得るものであり、それら変更例及び修正例についても本発明の範囲に属するものと了解される。
【０１５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５３】
１０…取得部、  １１…撮像部、  １２…マイクロフォン、  １５…入手部、  ２０…提供部、  ３０…保持物、  ３０ａ…発光装置、  ３０ａｐ…発光部、  ３０ａｑ…導光体、  ３０ａｒ…筐体、  ３０ｂ…旗状体、  ３０ｃ…扇状体、  ３０ｄ…布状体、  ３０ｅ…拡声器、  ３０ｆ…マイクロフォン、  ３０ｇ…腕輪、  ３０ｈ…首輪、  ３０ｉ…時計、  ３０ｊ…指輪、  ３０ｋ…眼鏡、  ３０ｌ…衣服、  ３０ｍ…靴、  ３０ｎ…手袋、  ３０ｏ…帽子、  ３１…第１センサ、  ３１ａ…バッテリ、  ３１ｂ…第１処理装置、  ３１ｃ…第１通信部、  ３１ｄ…第１メモリ（記憶部）、  ３１ｐ…提供部、  ４０…情報端末機器、  ８１…第１参加者、  ８１ｂ…第１身体、  ８１ｉ…第１行動情報、  ８１ｓ…第１サービス、  ８２…第２参加者、  ８２ｉ…第２行動情報、  ８２ｓ…第２サービス、  ８５…パフォーマ、  １１０、１１１…サービス提供システム、  ２１０〜２１２…サービス提供装置、  Ｅ１…シンクロ度、  Ｅ２…シンクロ度、  Ｅ３…完成度、  Ｅ４…熱中度、  Ｅ５…貢献度、  Ｅ６…協力度
【図１】
2016167245.tif 000003
【図２】
2016167245.tif 000004
【図３】
2016167245.tif 000005
【図４】
2016167245.tif 000006
【図５】
2016167245.tif 000007
【図６】
2016167245.tif 000008
【図７】
2016167245.tif 000009
【図８】
2016167245.tif 000010
【図９】
2016167245.tif 000011